(57)【要約】【課題】  金属等の硬いクリップでも綴具なしに書類を綴じる。【解決手段】断面略四方形３等の空洞部５と括れ乃至凹み６を設けたシート１に遊動余地１１を持たせ折り畳み二片７をクリップ８から突出させてクリップ８内部に摺動自在に嵌入する。【選択図】  図２
2005007886.tif 000002
【特許請求の範囲】
【請求項１】
専用綴具の補助なく書類を綴じるべくクリップ内部に書類挿入補助シートを配置するクリップにおいて、金属、樹脂他適宜素材の薄片シートを略長方形等適宜形状に裁断して略シート中央辺を二つに折り畳み、該折り畳み箇所の空洞部を断面略四方形乃至略円形となすと共に括れ乃至凹みを設け、折畳んで対向したシート折り畳み二片はクリップ開口部から突出させてつまみに適する長さに形成し、横幅はクリップから若干はみ出す程度の遊動余地を持たせてスライドするシートを形成しクリップ内部に摺動自在に嵌入したことを特徴とするスライドオープンクリップ。
【請求項２】
空洞部を略三角形になすと共に括れ乃至凹みの代わりに、シートをクリップから引き出した時にクリップの外部に突出する辺りに各々外側へ反転して観音開となる折り目を設けてなる請求項１記載のスライドオープンクリップ。
【発明の詳細な説明】
【技術分野】
【０００１】  本発明は、専用綴具の補助なしに書類を綴じるクリップに関するものである。
【背景技術】
【０００２】  従来も書類挿入補助手段をクリップに付加した綴具不要のクリップがあった。
【特許文献１】特開平１１８０８８
【特許文献２】実開平６−７１１５９
【特許文献３】特開平９−１０４１９２
【発明の開示】
【発明が解決するための課題】
【０００３】  上記第１及び第２特許文献におけるクリップは、綴具無用の書類綴じという点で便利なクリップであるが構成的に若干サイズが大きい欠点と、更に構造上書類保持力が弱いという難点があり、他方上記第３特許文献においては、クリップ内部に書類挿入補助シートを配置した簡単構成という長所が見られるものの、クリップと書類挿入用補助シートとを固着一体化させた構成であるが故に、金属製の断面コの字クリップや、樹脂でもサイズの小さいコの字クリップなどは開口部が硬いので書類挿入が難しく、そのため柔らかいクリップを別注する必要がありしかも書類保持力が若干弱いという難点があった。
【課題を解決するための手段】
【０００４】  本発明はこれら諸問題に鑑み、薄片シートを略長方形等適宜形状に裁断して略シート中央辺で二つに折り畳み、該折り畳み箇所の空洞部を断面略四方形乃至略円形となすと共に括れ乃至凹みを設け、折畳んで対向したシート折り畳み二片はクリップ開口部から突出させてつまみに適する長さに形成し、横幅はクリップから若干はみ出す程度の遊動余地を持たせてスライドするシートを形成しクリップ内部に摺動自在に嵌入したことを最大の特徴とする。
【０００５】  この場合、空洞部を略三角形に形成し、括れ乃至凹みは設けずその代わりに、シートをクリップから引き出した時にクリップの外部に突出する辺りに各々外側へ反転して観音開となる折り目を設けても良い。
【発明の効果】
【０００６】  本発明のスライドオープンクリップは、書類導入シートを引き出せば観音開きになるという意味であるが、極めて簡単な構成にも拘わらず、シート入口が自動的に開くので書類をあてがうのが容易であり、更に書類を挟んでシートと共にクリップ内部へ挿入出来るので専用綴具不要の便利なクリップである。また、既成のコの字クリップはサイズが小さいだけでなく書類保持力も強く、本発明はこれら市販クリップも利用出きるので便利であるばかりでなく、書類１０枚や２０枚程度は可能なので簡易型のクリップとして十分実用性を有する。
【発明を実施するための最良の形態】
【実施例１】
【０００７】  図１において、シート１の素材は金属薄片や紙などでも良いが、経済性や工作便宜上、ＰＰシートなどの樹脂で、板厚０．１〜０．３ｍｍくらいが適当と考える。また、樹脂においては、摩擦係数の少ない艶出し面と、摩擦係数の大きい艷無し面とがあるが、いづれを表または裏にしても大きな差異は見当たらない。シート素材は透明でも良いし、また赤青黄色など各種の着色シートを自在に使うことによって、カラフルであるばかりでなく書類の識別ファイル出来る利点もある。以上のような薄片シート１を略長方形３等適宜形状に裁断する。【０００８】  図２において、略シート中央辺２で二つ折りに畳むがその際、空洞部５を断面略四方形３乃至略円形４になすと共に括れ乃至凹み６を設け、折畳んで対向したシート折り畳み二片７はクリップ開口部９から突出させてつまみに適する長さとなす。該シート１はクリップ８内で前後スライド自在とするので、クリップ８からの逸脱防止のために、シート横幅１０にはクリップから若干はみ出す程度の遊動余地１１を与える。以上のシートをクリップ内に前後摺動自在に嵌入する。シート１の形状は、図に示した通り、花柄など様々なデザインを採用しても楽しい。空洞部５の断面形状は上記の如く、略四方形３でも略円形４でも効果は良好である。【０００９】  図３は、シート１を引き出した断面図である。本発明においてはクリップ８とシート１を固着一体化せず前後摺動自在に嵌入するが、その理由は既述の通り、小さく硬いコの字のクリップ８とシート１とを固着してしまうと、書類１２をクリップの中に挿入することは無理なのである【００１０】  また本発明のシート１は二つに折畳む際、折り畳んでなる空洞部５を断面略四方形３乃至略円形４などに形成するが、その第一の目的は、該空洞部５を単に書類収納空間となすに留まらず、シート１をクリップ８から引き出す時、該空洞部５がクリップ内壁１６に押圧把握されて逸脱を防ぐストッパーをなすのである。【００１１】  第二の目的として、空洞部５と共に括れ乃至凹み６を設けたシート１をクリップ８から引き出すと、クリップ内壁１６は該括れ乃至凹み６を避けて該空洞部５を押圧するので、押圧された反作用でクリップ８の外部に突出した折り畳み二片７が各々外側へ反転して観音開きに開く。わざわざ指で開く必要がなく便利である。【００１２】  図４において、実験の結果、空洞部５に括れ乃至凹み６がない場合、クリップ内壁１６は空洞部５を押圧せず折り畳み二片７全体を押圧してしまうので観音開きは生じないことが判明した。【００１３】  空洞部６は、以上のようにストッパー及び反転目的のためクリップ内でスライドさせるので、寸法はクリップ内部で遊動し得る程度に若干矮小とすると良い。【００１４】    図５は、観音開きになったシート１に書類１２を押し当ててクリップ８内部へ押し込んだところを示す。既述の通り、硬いコの字クリップの中へ書類１２を押し込むことは不可能であるが、本発明のように、シート１の中に書類１２を入れてシート１と共にクリップ８の中へ押し込む事は可能である。実験の結果では市販専用綴具を使用した場合には書類３０枚前後をクリップに挿入可能であるが、本発明の場合でも１０枚や２０枚程度は挿入可能であり、簡易方式として十分実用に給すると判断するものである。【００１５】  図６では、本発明においてはクリップ８と補助シート１を固着しないので、書類１２に綴じた後に、内部のシート１が邪魔ならクリップ８を横にずらせば内部のシート１を取外す事が出来る利点がある。両者を固着一体化した場合にはこれは出来ない。【００１６】  図７において、必要に応じてシート１をクリップ８から除去した後に再度クリップ８内に嵌入し直す場合、市販のクリップ開口部９には狭いながらも両開きの隙間１５があるので、本シートをつまんで容易に挿入して元に戻すことが出来、この点も便利である。【００１７】  また、書類１２に綴じたクリップ８を取り外す場合、空洞部５がストッパーをなしてシート１がクリップ８内に残るだけでなく図３に示した通り観音開きになるので書類１２に再度綴じる上で便利である。書類１２からクリップ１を引き抜いた時に、仮に勢い余ってシート１がクリップ８から外れても、前記の通り両者を元に戻すことは容易なので支障ない。
【実施例２】
【００１８】    図８は、略三角形１４の空洞部５と共に、括れ乃至凹み６の代わりに折り目１３を設けるもので、シート１をクリップ８から引き出した時にクリップ８の外部に突出する辺りに観音開となる折り目１３を設けたものであるが、これによってクリップ８内に収納している時は、折り畳み二片７は閉じ、シート１を引き出した時に観音開きとなる。【００１９】  既述の通り、実施例１のクリップにおいては括れ乃至凹み６を設ければクリップ内壁１６が空洞部５を押圧するので観音開きが可能であるが、該折り目１３を付加しても差し支えない。
【図面の簡単な説明】
【００２０】
【図１】シートとクリップの概要図である。
【図２】スライドオープンクリップの図である。（実施例１）
【図３】クリップの断面図である。
【図４】空洞部および括れ乃至凹みの役割を説明する図である。
【図５】クリップ内に書類を挿入した図である。
【図６】クリップからシートを取り外す図である。
【図７】取り外したシートをクリップに嵌入する図である。
【図８】折り目を設けたシートの概要図である。（実施例２）
【符号の説明】
【００２１】  １  シート
２  シート中央辺
３  略四方形
４  略円形
５  空洞部
６  括れ乃至凹み
７  折り畳み二片
８  クリップ
９  クリップ開口部
１０  横幅
１１  遊動余地
１２  書類
１３  折り目
１４  略三角形
１５  隙間
１６  内壁
【図１】
2005007886.tif 000003
【図２】
2005007886.tif 000004
【図３】
2005007886.tif 000005
【図４】
2005007886.tif 000006
【図５】
2005007886.tif 000007
【図６】
2005007886.tif 000008
【図７】
2005007886.tif 000009
【図８】
2005007886.tif 000010